(57)【要約】【課題】堰板を昇降させて水田の水位を調整する水位調整堰に関し、構造が簡単で安価に提供でき、従来構造の堰板に替えて既設の水路の収納溝に嵌め込んで使用することができ、堰板の昇降位置の保持や水漏れの問題を解決した水位調整堰を得る。【解決手段】水田の畦を横断する水路の側壁に設けた対向する上下方向の収納溝７と、この収納溝に両側辺を挿入して水路を遮るように設置した基板１と、この基板の上辺側に設けた開口１２と、基板１の両側辺部及び開口１２の下部に添設された堰板２と、この堰板２の両側辺部及び堰板２が存在しない部分の基板１の両側辺部と収納溝７との隙間に嵌挿された上下方向に細長い弾性体３とを備えている。堰板２は、弾性体３及び基板１との間の摩擦抵抗力により、設定された昇降位置を保持する。【選択図】図１
2011160685.tif 000002
【特許請求の範囲】
【請求項１】
水田の畦を横断する水路の側壁に設けた対向する上下方向の収納溝(7)と、この対向する収納溝に両側辺を挿入して前記水路を遮るように設置した基板(1)と、この基板にその両側辺部を残して設けられた基板の幅より狭い幅の開口(12)と、前記基板の両側辺部及び開口下部に添設された堰板(2)と、この堰板の両側辺部ないし前記基板の両側辺部と前記収納溝との隙間に嵌挿された少なくとも長手直角方向の弾性を備えた上下方向に細長い弾性体(3)とを備え、前記堰板が、設定された昇降位置を前記弾性体の摩擦抵抗により保持することを特徴とする、水田の水位調整堰。
【請求項２】
矩形の基板(1)と、この基板に設けた開口(12)と、両側辺部及び水田に設置した状態での下辺部を前記基板の一方の面に添設して前記開口を閉鎖するように設けた堰板(2)と、この堰板の両側辺部ないし当該堰板を添設した側の基板の両側辺部に配設される基板の上下寸法に相当する長さを備えた細長い弾性体(3)と、この弾性体を基板の側方に向けて押圧するべく設けられた押圧部材(4,4)とを備えている、水田の水位調整堰。
【請求項３】
細長い弾性体がゴム管である、請求項１又は２記載の水位調整堰。
【発明の詳細な説明】
【技術分野】
【０００１】
この発明は、水田の水を流す水路に設けられる水位調整堰に関するもので、堰板を昇降させて水位を設定する構造の上記堰に関するものである。
【背景技術】
【０００２】
一枚毎の水田には、当該水田に水を給排水するための水路が設けられている。水田の水位は、稲の生育状態や天候に応じて調整する必要があり、この水位を設定するために、一枚毎の水田の排水ロに堰が設置されている。水田に流入した水は、堰を越えて流出し、堰の高さによって水田の水位が設定される。
【０００３】
水が豊富であれば、水田に常時導いた水を堰から溢流させることにより、水田の水位を所望高さに保つことができる。しかし、水が十分でない地域や渇水時には、水田に必要な深さまで水が導入されたら給水路を閉じて下流の水田にも水を供給しなければならない。このような場合であっても、必要とする水位の設定に堰は必要であり、更に給水路を閉じた後の水漏れによる水位の低下を防止するために、水漏れのない構造の堰が必要である。
【０００４】
古くから広く採用されている堰の構造は、排水路の両側面の対向位置に上下方向の収納溝を設け、堰板の両側辺をこの収納溝に嵌め込んで設置する構造である。堰板は、水路幅方向に細長い複数枚の帯板で形成されており、この帯板の積み重ね枚数によって堰の高さを設定するようにしている。すなわち、新たな帯板を収納溝に嵌め込んで積み重ねることにより水位を高くし、また、堰の上辺部分の帯板を取り除くことによって水位を低くする。堰板の両側辺を（帯板の長手両端）を嵌め込むための前記収納溝は、そのような収納溝を対向部に設けたコンクリートブロックを排水路に設置することによって形成している。
【０００５】
この従来構造は、帯板を収納溝に嵌め込んだり取り除いたりするだけで堰の高さを変えることができるが、管理する水田の枚数が多いと、多数枚の帯板を持ち運ばねばならないという問題がある。更に堰板と収納溝の間、及び積み重ねられた帯板相互の間から水が漏れるので、水漏れを防止する必要がある場合には、堰板と収納溝の間、及び積み重ねた帯板相互の間に布切れや泥を詰めて水漏れを押える作業が必要である。この作業は、非常に手間がかかり、また容易に想像できるように、水漏れ対策としては不完全である。
【０００６】
一方、従来の堰板に替えて設ける堰板を備えた水位調整堰や、堰板を昇降させて水位を設定する水位調整堰は、例えば下記特許文献１〜３に提案されている。
【先行技術文献】
【特許文献】
【０００７】
【特許文献１】特開２００４−４１２１５号公報
【特許文献２】特開２００９− ６０８８３号公報
【特許文献３】実用新案登録第３１３６１９９号公報
【発明の概要】
【発明が解決しようとする課題】
【０００８】
従来構造の水位調整堰は、設定した堰板の高さを保持するための構造や堰板の周囲からの水漏れを防止する構造が不十分であったり、複雑であるためにコスト高であったり、堰板の固定作業や水漏れの防止作業が面倒であったりするという問題があった。
【０００９】
水位調整堰は、一枚の水田に２〜３個設けるのが一般的であり、最近では１軒の専業農家が数百枚の水田を管理しているという例もあるので、堰が高価であると設備投資が厖大になって到底採用することができない。また作業が面倒であると、水位調整作業に多大な時間を必要として到底対応することができないという問題が生ずる。
【００１０】
この発明は、上述のような従来の水位調整堰の問題点を解決することを課題としており、構造が簡単で、従って安価に提供することが可能で、従来広く採用されている帯板を積み重ねる構造の堰板に替えて、既設の水路の収納溝に嵌め込んで使用することができ、堰板の昇降位置の保持や水漏れの問題を簡単な構造で一括して解決した、水田の水位調整堰を提供するものである。
【課題を解決するための手段】
【００１１】
本願の請求項１の発明に係る水田の水位調整堰は、水田の畦を横断する水路の側壁に設けた対向する上下方向の収納溝７と、この対向する収納溝に両側辺を挿入して前記水路を遮るように設置した基板１と、この基板の上辺側に設けた開口１２と、基板１の両側辺部及び開口１２の下部に添設された堰板２と、この堰板２の両側辺部及び堰板２が存在しない部分の基板１の両側辺部と収納溝７との隙間に嵌挿された少なくとも長手直角方向の弾性を備えた上下方向に細長い弾性体３とを備えている。開口１２は、基板１にその両側辺部を残して設けられており、基板１の幅より狭い幅のＵ字形ないし上向きコ字形の切欠とするが、矩形ないし円形の孔として形成することもできる。堰板２は、弾性体３及び基板１との間の摩擦抵抗力により、設定された昇降位置を保持する。弾性体３としては、ゴム管が好適である。
【００１２】
本願の請求項２の発明に係る水田の水位調整堰は、矩形の基板１と、この基板に設けた開口１２と、両側辺部及び水田に設置した状態での下辺部を基板１の一方の面に添設して開口１２を閉鎖するように設けた堰板２と、この堰板の両側辺部ないし当該堰板を添設した側の基板の両側辺部に配設される基板１の上下寸法に相当する長さを備えた細長い弾性体３と、この弾性体を基板１の側方に向けて押圧するべく設けられた押圧部材４、４とを備えている。開口１２は、基板１にその両側辺部を残して設けられており、基板１の幅より狭い幅のＵ字形ないし上向きコ字形の切欠とするが、矩形ないし円形の孔として形成することもできる。弾性体３としては、ゴム管が好適である。
【００１３】
この発明の水位調整堰は、排水路の両側辺に設けた上下方向の収納溝７に基板１の両側辺を嵌め込んだ状態で水田に設置される。従って、基板１の寸法を従来の帯板を積み重ねて形成される堰板の寸法と同じ寸法としてやれば、既設の排水路に手を加えることなく設置することができる。既設の排水路に設置されている溝付きのコンクリートブロック６の深さが深いときは、収納溝７の下方部にスペーサ板を入れて、その上に基板１を積み重ねるようにしてやればよい。
【００１４】
この発明の水位調整堰を設置した水田の水位は、堰板２の上辺の高さに設定される。水位を変更するときは、堰板２を引上げ又は押下げて堰板２の上辺を所望高さに設定する。堰板２は、弾性体３の摩擦力により設定した高さに保持される。水田の水を総て排水するときは、堰板２を引き上げて、開口１２の下方部から排水する。
【発明の効果】
【００１５】
この発明の水位調整堰における基板１は、最も簡単には１枚のステンレス板の上辺部に開口１２を切り欠き、必要な箇所に数個のねじ孔ないしねじ挿通孔１５を設け、その両側辺及び底辺を折曲げるだけで製作することができる。また、堰板２は、堰板を引き上げるときに指を掛けるための手掛け部２１を開口ないし折曲げ形成した１枚のステンレス板で形成できる。
【００１６】
基板の両側辺部１１と水路に設けた基板を嵌装するための収納溝７との隙間からの水漏れは、基板の両側辺部１１に設置した弾性体３によって封止される。基板下辺からの水漏れは、その下辺に側辺部１１に設けた弾性体と同様なものを基板１を収納溝７に嵌め込んで設置する際に基板１の下辺に取り付けてやればよい。
【００１７】
堰板２の両側辺は、基板１に添設されているだけであるが、弾性体３によって基板１に押し付けられており、この弾性体と基板からの摩擦抵抗により、設定した高さ位置から堰板２が自重により降下するのを防止できる。上記摩擦抵抗力は、押圧部材４の押圧力で弾性体３を押し潰す程度を加減することによって調整でき、堰板２を手の力で昇降させることができかつ自重によって降下しない摩擦抵抗力にすることが可能である。この摩擦抵抗力は、水位調整堰を最初に設置するときに調整しておけばよいので、後は堰板２を手の力で引き上げたり押し下げたりするだけで、水位を設定することができる。
【００１８】
この発明の水位調整堰は、基板１の堰板２を添設した側を水田の内側に向けて設置する。この設置状態では、水田の水圧が堰板２の下辺部を基板１に押し付ける方向に作用し、堰板２の下辺を含む水面下の部分を基板１に密着させる。基板の開口１２部分は、水田と反対の側の、通常は収納溝７を備えたコンクリートブロックの空所に向けて大気開放されているので、前記水圧と堰板底部と基板の開口下辺部との間に存在する水膜の表面張力により、水田の水位以下に位置する堰板周囲と基板とが密着させられ、当該周囲からの漏水がほぼ完全に防止できる。
【図面の簡単な説明】
【００１９】
【図１】請求項１の発明に係る水位調整堰の一例を示す分解斜視図
【図２】図１の水位調整堰の高さ中間部における断面平面図
【図３】請求項２の発明に係る水位調整堰の一例を示す斜視図
【図４】図３の水位調整堰の高さ中間部における断面平面図
【図５】堰板の下辺部の拡大断面側面図
【発明を実施するための形態】
【００２０】
図１〜５において、１は基板、２は堰板、３はゴムパイプからなる細長い弾性体、４は弾性体３を基板１の側方に向けて押圧する押圧板、５は押圧ねじ、６は排水路に設置されるコンクリートブロック、７はブロック６の両側辺の対向位置に設けた上下方向の収納溝である。
【００２１】
基板１は、ステンレス板で形成され、その上辺には、両側辺部１１を残して上向きコの字形に切り欠いた開口１２が形成されている。開口１２は、その底辺１３が設置する水田の土の上面と略一致する高さとなるように設ける。この高さは、基板１を水田に設置するときに、基板１の下に適当な寸法のスペーサ板を入れることによって、個々の水田の土の高さや排水路に設けられているコンクリートブロックの深さに合せて設定することが可能である。基板１の両側辺１ａ及び下辺１ｂは、収納溝７の溝幅内に円滑に挿入できる寸法の屈折部１４が折曲げ形成されている。側辺の屈折部１４には、３個のねじ孔１５が設けられている。
【００２２】
堰板２は、１枚のステンレス板からなり、その幅寸法Ｗは、基板の両側辺の屈折部１４、１４間の内法間隔より若干短い幅寸法を備えている。幅寸法を前記内法間隔より若干狭くしているのは、堰板２の両側辺が、基板側辺を折曲げたときにできる屈折部１４根元の円弧部分にかからずに、基板１と堰板２とが密着できるようにするためである。堰板２の上辺には、側面視で下向きコの字形に屈折した指掛け２１が堰板２の幅より狭い幅で屈曲形成されている。
【００２３】
基板１や堰板２の周縁や開口１２の切断縁は、必要に応じて切断時に生じたバリの除去等を行って、水田への設置時や水位調整作業時に作業者の手を傷つけないようにすることはもちろんであるが、堰板２の下辺については、堰板２を押し下げるときにその両側辺部が基板の両側辺部に押し付けられている弾性体３をすくい上げるようにして下降するので、当該部分の下辺の反基板側を、弾性体３を傷つけないように、滑らかに削り落としておくのがよい。
【００２４】
実施例で用いた細長い弾性体３は、基板１の上下寸法に等しい長さに切断したゴム管である。ゴム管３には、基板のねじ孔１５に対応する位置にねじ挿通孔３５が穿設されている。
【００２５】
押圧板４は、弾性体３の長さに相当する長さを備えた細長いステンレス板で、基板のねじ孔１５に対応する位置にねじ挿通孔４５が設けられている。押圧ねじ５は、押圧板のねじ挿通孔４５及びゴム管のねじ挿通孔３５を通って、基板のねじ孔１５に螺合されている。
【００２６】
基板１、堰板２、ゴム管３、押圧板４及びねじ５は、図４に示したように、堰板２を基板の両側辺の屈折部１４、１４の間に挿入して開口１２を塞ぐように基板１に添設し、押圧板４及びゴム管３をねじ５で基板両側辺の屈折部１４にねじ止めすることにより組み立てられる。
【００２７】
組み立てた請求項２の発明に係る水位調整堰を水田の排水路に設置されているコンクリートブロック６の収納溝７に上方から差し込み、適宜の深さにねじ５を締めることによって、請求項１に係る水位調整堰が構築される。基板１をコンクリートブロックの収納溝７に挿入するとき、基板１の下辺１ｂに、基板側辺に設けたと同様なゴム管を両面接着テープなどで貼り付けておくことにより、基板下辺とコンクリートブロックやスペーサ板との間からの水漏れを防止する。
【００２８】
図に示した請求項１に係る水位調整堰において、ねじ５を締めることにより、ゴム管３が扁平に押し潰されて、収納溝７の側壁と堰板２の両側辺部に押圧される。ゴム管３が収納溝７の側壁に押圧されることにより、基板１の側辺と収納溝７との間の漏水が防止される。また、押しつぶされたゴム管３が堰板２を基板１に向けて押圧することにより、基板１の昇降に所望の摩擦抵抗力が付与されると共に、基板１と堰板２の側辺部からの水漏れも防止される。
【００２９】
上記の実施例から理解されるように、この発明の水位調整堰の基板１、堰板２、押圧板４などは、１枚の金属板から単純な切断と折曲げ及び孔加工で製作することができるので、既設の堰板装着用のコンクリートブロックを利用すれば、極めて安価に、かつ排水路の構造を改変することなく設置することができる。
【符号の説明】
【００３０】
１  基板
２  堰板
３  ゴムパイプ（弾性体）
４  押圧板
５  押圧ねじ
６  コンクリートブロック
７  収納溝
１２  開口
【図１】
2011160685.tif 000003
【図２】
2011160685.tif 000004
【図３】
2011160685.tif 000005
【図４】
2011160685.tif 000006
【図５】
2011160685.tif 000007